(57)【要約】【課題】端子間接続作業の作業効率を向上するとともに、端子等との接触を防止した端子接続部品を提供する。【解決手段】端子接続部品１０は、第１端子１２と、第１端子１２に接続される第２端子５０と、第１端子１２および第２端子５０を収容するとともに、第１端子１２と第２端子５０とを接続する接続部材３０を作動させる治具６４を通す治具通し孔２２，４６が形成された絶縁樹脂製のハウジング２０，４０と、ハウジング２０，４０に保持され、治具通し孔２２，４６を閉じるシャッター６０と、を備える。【選択図】図３
2014107257.tif 000002
【特許請求の範囲】
【請求項１】
第１端子と、
前記第１端子に接続される第２端子と、
前記第１端子および前記第２端子を収容するとともに、前記第１端子と前記第２端子とを接続する接続部材を作動させる治具を通す治具通し孔が形成された絶縁樹脂製のハウジングと、
前記ハウジングに保持され、前記治具通し孔を閉じるシャッターと、
を備える端子接続部品。
【請求項２】
前記治具通し孔に通された治具を抜き取ることにより、前記シャッターが前記治具通し孔を閉じるようになっている請求項１に記載の端子接続部品。
【請求項３】
前記治具により前記接続部材を作動させることで、前記前記第１端子と前記第２端子とを接続するとともに、前記シャッターが前記治具通し孔を閉鎖可能な状態となる請求項１または請求項２に記載の端子接続部品。
【請求項４】
前記ハウジングは、前記第１端子を収容する第１ハウジングと、前記第２端子を収容するとともに前記第１ハウジングと嵌合する第２ハウジングと、からなる請求項１から請求項３のいずれか一項に記載の端子接続部品。
【請求項５】
前記第１ハウジングおよび前記第２ハウジングのうち、一方には係止部が設けられ、他方には前記係止部に係止される被係止部が設けられている請求項４に記載の端子接続部品。
【請求項６】
前記第１端子は単電池に設けられている電極端子である請求項１から請求項５のいずれか一項に記載の端子接続部品。
【発明の詳細な説明】
【技術分野】
【０００１】
本発明は、端子接続部品に関する。
【背景技術】
【０００２】
例えば電気自動車やハイブリッドカー等では、動力源等として、単電池を複数接続してなる電池モジュールを、複数接続して用いることがある。
【０００３】
複数の単電池あるいは複数の電池モジュールを接続する場合、例えば特許文献１に記載されているように、バスバー等の接続部材を隣り合う単電池のボルト状の端子間に配置して、端子にナットを締め付けることにより接続する。
【先行技術文献】
【特許文献】
【０００４】
【特許文献１】特開平１１−６７１８４号公報
【発明の概要】
【発明が解決しようとする課題】
【０００５】
しかしながら、ボルト締結により端子間を接続する場合、端子ごとにボルト締結を行う必要があるため、手間がかかる。また、端子、ボルト、ナット、バスバー等の端子間を接続するための部材は導電性材料から構成されるため、端子間を接続する作業の際に、これらに直接接触すると危険であるという問題があった。
【０００６】
本発明は上記のような事情に基づいて完成されたものであって、端子等との接触を防止した端子接続部品を提供することを目的とする。
【課題を解決するための手段】
【０００７】
上記課題を解決するものとして本発明は、第１端子と、前記第１端子に接続される第２端子と、前記第１端子および前記第２端子を収容するとともに、前記第１端子と前記第２端子とを接続する接続部材を作動させる治具を通す治具通し孔が形成された絶縁樹脂製のハウジングと、前記ハウジングに保持され、前記治具通し孔を閉じるシャッターと、を備える端子接続部品である。
【０００８】
本発明においては、ハウジングの治具通し孔から挿入された治具を用いて、ハウジング内に収容されている第１端子と第２端子とを接続するので、これらの端子に触れずに端子同士を接続することができる。その結果、本発明によれば、端子等との接触を防止した端子接続部品を提供することができる。
【０００９】
本発明は以下の構成としてもよい。
前記治具通し孔に通された治具を抜き取ることにより、前記シャッターが前記治具通し孔を閉じるようになっていてもよい。
端子接続作業を終えて治具を抜き取った後、治具通し孔が開放されていると、治具通し孔を通してハウジング内の端子に接触してしまうことがある。しかしながら上記のような構成とすると、治具を抜き取ることでシャッターが閉じられるため、治具通し孔を通してハウジング内の端子に接触するという事態の発生を防止できる。
【００１０】
前記治具により前記接続部材を作動させることで、前記前記第１端子と前記第２端子とを接続するとともに、前記シャッターが前記治具通し孔を閉鎖可能な状態となる構成であってもよい。
このような構成とすると、端子の接続作業を行うとともにシャッターが閉鎖可能となるので、接続作業の終了を容易に検知できる。
【００１１】
前記ハウジングは、前記第１端子を収容する第１ハウジングと、前記第２端子を収容するとともに前記第１ハウジングと嵌合する第２ハウジングと、からなる構成としてもよい。
このような構成とすると第１ハウジングに第２ハウジングを嵌合させることで、第２端子が第１端子に対して位置決めされるので、端子が容易に位置決めでき、作業性に優れる。
【００１２】
前記第１ハウジングおよび前記第２ハウジングのうち、一方には係止部が設けられ、他方には前記係止部に係止される被係止部が設けられていてもよい。
このような構成とすると、第１ハウジングと第２ハウジングとを嵌合させた後の第１端子と第２端子との位置ずれを防ぐことができる。
【００１３】
前記第１端子は単電池に設けられている電極端子であってもよい。
このような構成とすると、単電池を複数接続して電池モジュールを構成するときや複数の電池モジュールを接続する際に本発明が適用され、単電池の接続作業の作業効率が向上する。
【発明の効果】
【００１４】
本発明によれば、端子等との接触を防止した端子接続部品を提供することができる。
【図面の簡単な説明】
【００１５】
【図１】実施形態１の端子接続部品を単電池に取り付けた状態を示す正面図
【図２】端子接続部品の側面図
【図３】端子接続部品の一部断面図
【図４】端子接続部品の分解斜視図
【図５】２つのハウジングを嵌合する前の様子を示す斜視図
【図６】２つのハウジングを嵌合した後の様子を示す斜視図
【図７】図６の状態のときの２つの端子、規制部材および回転部材を正面側から示した図
【図８】図６の状態のときの２つの端子、規制部材および回転部材を上面側から示した図
【図９】治具により軸部を回転させる様子を示す斜視図
【図１０】２つの単電池間を接続する様子を示す部分断面図
【図１１】図１０の状態における一部断面図
【図１２】軸部を回転させる前の端子接続部品の一部断面図
【図１３】図１２の状態から軸部を９０°回転させたときの端子接続部品の一部断面図
【図１４】実施形態２の端子接続部品を単電池に取り付けた状態を示す正面図
【図１５】端子接続部品の一部断面図
【図１６】２つの端子を接続する前の状態のときの、２つの端子、規制部材および回転部材を示す斜視図
【図１７】図１６の状態の正面図
【図１８】図１６の状態の側面図
【図１９】図１６の状態の平面図
【図２０】図１６の状態の上面図
【図２１】２つの単電池間を接続する様子を示す部分断面図
【図２２】図２１の状態における一部断面図
【図２３】軸部を回転させる前の端子接続部品の一部断面図
【図２４】図２３の状態から軸部を９０°回転させたときの端子接続部品の一部断面図
【図２５】軸部を回動させる角度と荷重との関係を示したグラフ
【発明を実施するための形態】
【００１６】
＜実施形態１＞
本発明に係る実施形態１の端子接続部品１０を図１ないし図１３によって説明する。以下の説明において図１における上方を上とし下方を下とする。本実施形態の端子接続部品１０は、例えば隣り合う電池モジュール同士や隣り合う単電池１１同士を電気的に接続するものである（図１０参照）。
【００１７】
本実施形態の端子接続部品１０は、図３に示すように、単電池１１の電極端子１２（第１端子の一例）、電極端子１２に対して回転規制される規制部材２６、回転部材３０、皿バネ３５、および、これらを収容する第１ハウジング２０（ハウジングの一例）、ならびに、第２端子５０および第２端子５０を収容する第２ハウジング４０（ハウジングの一例）を備える。回転部材３０は電極端子１２に対して回転して電極端子１２と第２端子５０とを接続する部材（接続部材の一例）である。
【００１８】
（電極端子１２）
単電池１１は、図示しない発電要素と、発電要素を収容する電池ケース１４と、発電要素に接続されるとともに電池ケース１４の上面から突出する平板状の正負の電極端子１２と、を有する。
【００１９】
電池ケース１４の上面には樹脂製のセパレータ１５が配置されている。図１〜図７においてはセパレータ１５よりも上の部分を示している。セパレータ１５には第１ハウジング２０を固定するハウジング固定孔１６が３つ形成されている。セパレータ１５には電池ケース１４の上面から突出する電極端子１２を挿通させる端子挿通孔１７が形成されている。図１においては電池ケース１４の一部を示しているが、他の図では、単電池１１に関してセパレータ１５よりも上の部分のみを描いている。
【００２０】
電極端子１２の上端部はＵ字状をなしている。電極端子１２の上端部には、規制部材２６が嵌めこまれる溝部１３が形成されている（図７を参照）。
【００２１】
（第１ハウジング２０）
樹脂製の第１ハウジング２０は直方体状をなしている。第１ハウジング２０は、図３および図４に示すように、下方が開口し、下端部には、セパレータ１５のハウジング固定孔１６に係止される係止爪２１が複数突出形成されている。
【００２２】
第１ハウジング２０の上面には、第２端子５０が挿入される端子挿入口２２およびシャッター６０が挿入されるシャッター挿入口２３が設けられている。
【００２３】
第１ハウジング２０の正面側の面には、図４〜図６に示すように、回転部材３０の軸部３１を回転させるための治具６４が挿入される治具通し孔２４が形成されている。治具通し孔２４は、円形状をなし、電極端子１２と第２端子５０が接続されている状態のときには図１に示すように、シャッター６０によって覆われている。
【００２４】
第１ハウジング２０の側面のうち、図１における左右の側面には、図１０に示すように、第２ハウジング４０の側面の係止突部４３を係止するハウジング係止孔２５（係止部の一例）が形成されている。
【００２５】
（規制部材２６）
規制部材２６は、図３、図４、図７および図８に示すように、端子接続部品１０の正面側（図３の右側）に配されており、規制部材２６の背面側には電極端子１２の溝部１３に嵌めこまれる取付突部２７が設けられている。規制部材２６は、図７に示すように、正面視同心円状をなしている。規制部材２６のうち、正面側の直径の小さい小径部２８は、その厚み寸法が規則的に変化するように形成されている（図８を参照）。背面側の直径の大きい大径部２９は回転部材３０の押圧部３２（後述する）とともに電極端子１２および第２端子５０を押圧する。規制部材２６の中央部分には回転部材３０の軸部３１を挿通可能に貫通孔２６Ａが設けられている。
【００２６】
（回転部材３０）
回転部材３０は、規制部材２６、電極端子１２、第２端子５０および皿バネ３５を貫通する軸部３１と、軸部３１の正面側の端部に設けられ軸部３１を回転させる回転ピン３３と、軸部３１の背面側の端部に設けられた押圧部３２と、を備える。
【００２７】
本実施形態において、回転ピン３３が左右方向（横方向）を向いているとき（図３および図１３）に、回転ピン３３が規制部材２６の小径部２８に当接して２つの端子１２，５０に大きな荷重がかかるようになっている。これにより、回転ピン３３が上下方向（縦方向）を向いているとき（図１２）よりも、左右方向（横方向）を向いているとき（図３および図１３）に、２つの端子１２，５０にかかる荷重が大きくなる。
【００２８】
回転部材３０の軸部３１は、規制部材２６の貫通孔２６Ａ、第２端子５０の溝部５１、電極端子１２の溝部１３、皿バネ３５の貫通孔３５Ａを貫通する。回転部材３０の軸部３１には回転ピン３３を挿通させるピン挿通孔３１Ａが設けられている。
【００２９】
回転部材３０の押圧部３２は円盤状をなしており、皿バネ３５とともに電極端子１２および第２端子５０を押圧するようになっている。押圧部３２と電極端子１２との間に配されている皿バネ３５の略中央には回転部材３０の軸部３１が挿通される貫通孔３５Ａが形成されている。
【００３０】
（第２ハウジング４０）
第１ハウジング２０の外側に嵌合される樹脂製の第２ハウジング４０は、全体として略直方体状をなしている。第２ハウジング４０は、角筒状の本体部４１と、本体部４１の上部開口を閉じる蓋部４７と、を備える。
【００３１】
蓋部４７の内壁面には第２端子５０を保持する端子保持部４８が設けられており、蓋部４７の上面にはシャッター６０が配置されるシャッター配置孔４９が貫通して設けられている。
【００３２】
蓋部４７の側面のうち、第２端子５０に接続された電線５５が配置される側の側面には、図２に示すように、下方に延出された延出部４７Ａが形成されており、この延出部４７Ａには、半円状の切欠部４７Ｂが形成されている。蓋部４７には、本体部４１に係止される蓋係止突部（図示せず）が形成されている。
【００３３】
本体部４１の側面のうち第２端子５０に接続された電線５５の配置される側の側面には、蓋部４７の延出部４７Ａに形成された半円状の切欠部４７Ｂと対応して半円状の切欠部４１Ａが設けられている。したがって、蓋部４７を本体部４１に取り付けると蓋部４７の半円状の切欠部４７Ｂと本体部４１の半円状の切欠部４１Ａとが１つになって円形の孔４８が形成されるようになっている。この円形の孔４８は第２端子５０に接続された電線５５が配置される電線配置孔４８である（図２参照）。
【００３４】
本体部４１の上端部には、蓋部４７の蓋係止突部を係止する蓋係止孔４２Ａが形成された係止片４２が設けられている。また、本体部４１の下端部には第１ハウジング２０のハウジング係止孔２５に係止される係止突部４３が形成されている（被係止部の一例）。
【００３５】
本体部４１の左右の側面の内壁面には、第２端子５０の係止凸部５２を係止する端子係止部４４が形成されている。端子係止部４４は図１１に示すように断面視Ｌ字状をなしており端子係止部４４の先端部が第２端子５０の係止凸部５２を係止するようになっている。
【００３６】
本体部４１の正面側の側面の内壁面の上端にはシャッター６０を係止して保持する係止凹部４５が形成されている。
【００３７】
本体部４１の正面壁には、図１および図６に示すように、治具６４を挿入可能な治具通し孔４６が、第１ハウジング２０の治具通し孔２４と対応して設けられている。
【００３８】
（シャッター６０）
さて、本実施形態では、第２ハウジング４０の治具通し孔４６及び第１ハウジング２０の治具通し孔２４を閉じる樹脂製のシャッター６０は図４に示すように、長方形状をなしている。シャッター６０の略中央にはＵ字状のスリット６１が形成されている。このスリット６１の内側には正面側に突出し、第２ハウジング４０の係止凹部４５に係止されるハウジング係止突部６２が形成されている。
【００３９】
シャッター６０の背面側の面には、上下方向を向いている回転ピン３３の上端に当接してその下方への移動を規制する規制リブ６３が外側方向に突出形成されている。回転ピン３３を回動させて回転ピン３３と規制リブ６３とが当接しない状態となると、電極端子１２と第２端子５０とが接触状態となって接続されるとともに、シャッター６０が下方へ移動可能（治具通し孔２４，４６を閉鎖可能な状態）となる。しかしながら、本実施形態ではハウジングの治具通し孔２４，４６に治具６４が挿入されている状態では、図１３に示すように、治具６４によりシャッター６０の下方への移動が規制されており、治具６４を抜き取ることで、シャッター６０が下方へ移動するようになっている。
【００４０】
（第２端子５０）
第２端子５０は銅や銅合金などの導電性金属板材から構成され、下端部の略中央には溝部５１が形成されている。第２端子５０の溝部５１には規制部材２６の取付突部２７と回転部材３０の軸部３１が配されるようになっている。
【００４１】
第２端子５０の上下方向における略中央には、第２ハウジング４０の本体部４１の端子係止部４４に係止される係止凸部５２が外側方向に突出形成されている。第２端子５０の上端部は蓋部４７の内壁面に形成した端子保持部４８により保持されている。
【００４２】
第２端子５０の上端部と、係止凸部５２との間は、他の部分よりも幅狭に形成された幅狭領域５３であり、この領域５３には電線５５の露出芯線５６が接続されている。
【００４３】
第２端子５０に接続されている電線５５は、その両端末において絶縁被覆５７の剥離除去により芯線５６が露出している。電線５５の両端末で露出する芯線５６は隣り合う端子接続部品１０に用いられる第２端子５０にそれぞれ接続されている（図１０を参照）。電線５５の両端で露出する芯線５６に接続される第２端子５０は、相違する極性の電極端子１２に接続されている。つまり、隣り合う単電池１１の電極端子１２同士は、第２端子５０と電線５５を介して電気的に接続されている。
【００４４】
（端子接続部品１０の接続方法）
以下、本実施形態の端子接続部品１０の接続方法について説明する。
所望の数の単電池１１を隣合う単電池１１の電極端子１２が逆極性となるように並べて、各単電池１１の電極端子１２が形成された面（本実施形態では上面）にセパレータ１５を取り付ける。単電池１１にセパレータ１５を取り付ける際にはセパレータ１５の端子挿通孔１７に電極端子１２を挿通させる。
【００４５】
次に、電極端子１２の溝部１３に規制部材２６の取付突部２７を嵌めこんで、電極端子１２に規制部材２６を取り付けると規制部材２６は電極端子１２に対して回転規制される。
【００４６】
次に回転ピン３３を取り外した状態の回転部材３０の軸部３１に皿バネ３５と、規制部材２６とを貫通させる。詳しくは、回転部材３０の軸部３１を皿バネ３５の貫通孔３５Ａに通した後、当該軸部３１を背面側から電極端子１２に取り付けた規制部材２６の貫通孔２６Ａに通すと、皿バネ３５が押圧部３２と電極端子１２に挟まれた状態となる。軸部３１のピン挿通孔３１Ａに回転ピン３３を挿通させて軸部３１に回転ピン３３を取り付けると図４に示すような状態となる。
【００４７】
回転部材３０および規制部材２６を取り付けた電極端子１２の上側から第１ハウジング２０を取り付ける。第１ハウジング２０の係止爪２１をセパレータ１５のハウジング固定孔１６に対応させて上方から第１ハウジング２０をセパレータ１５に取り付けると、第１ハウジング２０の係止爪２１がセパレータ１５のハウジング固定孔１６に係止されて固定される（図５を参照）。
【００４８】
第１ハウジング２０の取付作業と同時又は前後して、以下に説明する手順で第２ハウジング４０に第２端子５０とシャッター６０を取り付ける作業を行う。
【００４９】
まず、第２端子５０の幅狭領域５３に電線５５を接合する。具体的には、電線５５の両端末において絶縁被覆５７を剥離除去して、芯線５６を露出させておき、電線５５の両端末で露出する露出芯線５６にそれぞれ第２端子５０を接合する（図１０を参照）。露出芯線５６と第２端子５０の接合は、各種溶接法等、公知の接合方法により行われる。
【００５０】
次に、電線５５が第２ハウジング４０の蓋部４７の切欠部４７Ｂから外側に配されるように第２端子５０を配して、第２端子５０の上端部を蓋部４７の端子保持部４８に嵌めこんで保持させる。第２端子５０を保持させた蓋部４７を第２ハウジング４０の本体部４１に取り付ける。このとき第２端子５０の電線５５が本体部４１の切欠部４１Ａから外側に配されるように蓋部４７を配置する。蓋部４７を本体部４１に取り付けると蓋部４７が本体部４１の蓋係止孔４２Ａに係止され、電線５５が電線配置孔４８から外側に配される。また、第２端子５０の係止凸部５２が第２ハウジング４０の本体部４１内の端子係止部４４より係止され第２端子５０が本体部４１によっても保持される。
【００５１】
第２端子５０を保持させた第２ハウジング４０の蓋部４７のシャッター配置孔４９に、上側からシャッター６０を差し込むと、第２ハウジング４０の本体部４１の内壁に設けた係止凹部４５に、ハウジング係止突部６２が係止され、シャッター６０の上端部が蓋部４７の上方からはみ出した状態で保持される。このようにして図５に示すような第２端子５０およびシャッター６０を取り付けた第２ハウジング４０が得られる。
【００５２】
第２端子５０およびシャッター６０を取り付けた第２ハウジング４０を、図５に示すように、電極端子１２等を収容した第１ハウジング２０に嵌合させる。開口部を下側に向けた状態とした第２ハウジング４０を、第１ハウジング２０に上方から嵌合させる。第２ハウジング４０を下方に移動させて、第２端子５０の下端部が第１ハウジング２０の端子挿入口２２に至ると、第２端子５０が端子挿入口２２に挿入されて第２端子５０の溝部５１が回転部材３０の軸部３１に案内される。
【００５３】
第２ハウジング４０をさらに下方に移動させて第１ハウジング２０との嵌合位置にまで至ると、図６に示すように、第２ハウジング４０の側壁の係止突部４３が第１ハウジング２０の側壁のハウジング係止孔２５に嵌り込んで第２ハウジング４０が第１ハウジング２０に係止される。また、第２ハウジング４０の治具通し孔４６と第１ハウジング２０の治具通し孔２４とが重なり合って１つの治具通し孔となる。
【００５４】
この状態において、第２端子５０の溝部５１に回転部材３０の軸部３１が配され、第２端子５０は電極端子１２と規制部材２６との間に挟まれる（図７および図８を参照）るが、シャッター６０の一部は第２ハウジング４０の蓋部４７の上方からはみ出したままである。
【００５５】
次に、図９に示すように第２ハウジング４０の治具通し孔４６から治具６４を挿入して回転ピン３３を回動させる。回動させる前の回転ピン３３は上下方向を向いている（図１０の右側の端子接続部品１０および図１２を参照）。回転ピン３３が上下方向を向いているときには、図１２に示すように、シャッター６０の規制リブ６３と回転ピン３３とが当接しておりシャッター６０の下方への移動が規制されている。
【００５６】
治具６４を操作して回転ピン３３を横方向を向いている状態から回動させると、シャッター６０と回転ピン３３との当接状態が解除されて、回転ピン３３とシャッター６０とが非当接状態となる（図１３を参照）。回転ピン３３とシャッター６０とが非当接状態となっても、治具６４がハウジング４０内に配されているときには、シャッター６０が治具６４と当接しているので、下方への移動が規制されている。このとき、電極端子１２および第２端子５０は、皿バネ３５を介して押圧部３２により押圧され相互に接触し荷重のかかった状態（電気的な接続可能な状態）である。
【００５７】
次に、治具通し孔２４，４６から治具６４を抜き取ると、治具６４とシャッター６０との当接状態が解除され、シャッター６０が下方に移動して治具通し孔２４，４６が閉じた状態となる（図３を参照）。
【００５８】
同様の作業を繰り返し全ての回転ピン３３を回動させる操作および治具６４の抜き取り作業が終了すると、端子接続部品１０の取り付け作業ならびに単電池１１の接続作業が終了する。
【００５９】
（本実施形態の作用および効果）
本実施形態においては、電極端子１２および第２端子５０を収容するハウジング２０，４０に、電極端子１２と第２端子５０とを接続する治具６４を通す治具通し孔２２，４６が形成されているので、治具通し孔２２，４６から挿入された治具６４を操作して、端子１２，５０に触れずに端子１２，５０同士を接続することができる。その結果、本実施形態によれば、端子等１２，５０との接触を防止した端子接続部品１０を提供することができる。
【００６０】
また、本実施形態によれば、治具通し孔２２，４６に通された治具６４を抜き取ることにより、シャッター６０が治具通し孔２２，４６を閉じるようになっているから、端子接続作業後に治具通し孔２２，４６を通してハウジング２０，４０内の端子１２，５０に接触するという事態の発生を防止できる。
【００６１】
また、本実施形態によれば、治具６４により回転部材３０を作動させることで、電極端子１２と第２端子５０とを接続するとともに、シャッター６０が治具通し孔２２，４６を閉鎖可能な状態となるから、端子接続作業の終了を容易に検知できる。
【００６２】
また、本実施形態によれば、ハウジング２０，４０は、電極端子１２を収容する第１ハウジング２０と、第２端子５０を収容するとともに第１ハウジング２０と嵌合する第２ハウジング４０と、からなるので、第２端子５０を電極端子１２に対して容易に位置決めすることができ、作業性に優れる。
【００６３】
特に、本実施形態によれば、第１ハウジング２０および第２ハウジング４０のうち、第１ハウジング２０にはハウジング係止孔２５（係止部）が設けられ、第２ハウジング４０には係止突部４３（被係止部）が設けられているから、第１ハウジング２０と第２ハウジング４０とを嵌合させた後の電極端子１２と第２端子５０との位置ずれを防ぐことができる。
【００６４】
また、本実施形態によれば、第１端子１２は、単電池１１に設けられた電極端子１２であるから、単電池１１を複数接続して電池モジュールを構成するときや複数の電池モジュールを接続する際の接続作業の作業効率が向上する。
【００６５】
さらに、本実施形態によれば、回転部材３０に電極端子１２および第２端子５０を貫通させて、軸部３１を２つの端子１２，５０に荷重がかかった状態となるように回転させればよいので、端子１２，５０間の接続にボルト締結が不要であり、端子間接続作業の作業効率が向上する。
【００６６】
＜実施形態２＞
本発明に係る実施形態２の端子接続部品７０を図１４ないし図２５によって説明する。以下の説明において図１４における上方を上とし下方を下とする。図１４においては電池ケース１４の一部を示しているが、他の図では、単電池１１に関してセパレータ１５よりも上の部分のみを描いている。
【００６７】
本実施形態の端子接続部品７０は、回転部材７１の回転ピン７２が図２１における左右方向（横方向）を向いているときにシャッター７３が開いており、回転ピン７２が上下方向（縦方向）を向いているときにシャッター７３が閉じるという点で実施形態１とは相違する。実施形態１と同様の構成については同じ符号を付し、重複した説明は省略する。
【００６８】
本実施形態において、回転ピン７２が左右方向（横方向）を向いているとき（図１６〜図２０、図２３）よりも、上下方向（縦方向）を向いているとき（図１５および図２４）に、２つの端子１２，５０にかかる荷重が大きくなっている。
【００６９】
第２ハウジング４０の治具通し孔４６と第１ハウジング２０の治具通し孔２４を閉じる樹脂製のシャッター７３は、略中央にＵ字状のスリット６１が形成されており、スリット６１の内側にハウジング係止突部６２が形成されている点では実施形態１と同様である。しかしながら本実施形態では、図２１に示すように、シャッター７３の下端部には、回転部材７１の回動操作を妨げないように半円状の切欠部７３Ａが形成されており、かつ、シャッター７３の背面側の面には、円弧状の規制リブ７４が回転ピン７２が上下方向（縦方向）に配されるときに干渉しないように形成されている。
【００７０】
本実施形態の端子接続部品７０の接続方法について説明する。本実施形態では回転ピン７２を、初期位置（左右方向を向いている位置、図２１の右側の端子接続部品７０の回転ピン７２の位置）から例えば右回りに少し回動させると、回転ピン７２の左端部は引き続き規制リブ７４と干渉するが、回転ピン７２の右端部は規制リブ７４と干渉しない位置に配される。一方、電極端子１２および第２端子５０にかかる荷重については徐々に大きくなり６０°回動させたところで最大となる（図２５を参照）。
【００７１】
回転ピン７２を初期位置から約９０°回動させて、回転ピン７２が規制リブ７４と当接しない位置（干渉しない位置）に配されると、シャッター７３が下方へ移動可能となる（図２２を参照）。回転ピン７２とシャッター７３とが非当接状態となっても、治具６４がハウジング２０，４０内に配されているときには、シャッター７３が治具６４と当接しているので、下方への移動が規制されている。
【００７２】
このとき、電極端子１２および第２端子５０は、皿バネ３５を介して押圧部３２により押圧され相互に接触し荷重のかかった状態（電気的な接続可能な状態）である。この状態において電極端子１２および第２端子５０に係る荷重は、回転ピン７２を初期位置から６０°回動したときよりもやや小さくなるが、回転ピン７２が初期位置にあるときより大きい（図２５を参照）。
【００７３】
図２５中、「初期状態」とは回転ピン７２が初期位置にある状態のことをいい、「最大荷重時」とは、電極端子１２および第２端子５０にかかる荷重が最大のときをいい、「終了状態」とは、初期位置から９０°回動させた状態をいい、「Ｘ」とは端子が押される力（押圧力）を示す。
【００７４】
次に、治具通し孔２４，４６から治具６４を抜き取ると、治具６４とシャッター７３との当接状態が解除され、シャッター７３が下方に移動して治具通し孔２４，４６が閉じた状態となる（図１５を参照）。
【００７５】
同様の作業を繰り返し全ての回転ピン７２を回動させる作業および治具６４抜き取り作業が終了すると、端子接続部品７０の取り付け作業ならびに単電池１１の接続作業が終了する。上記以外の構成については実施形態１と概ね同様である。
【００７６】
本実施形態によれば、実施形態１と同様の効果に加えて、以下の効果がある。本実施形態では回転ピン７２が上下方向を向いている状態のとき（初期位置から９０°回動させたとき）のみシャッター７３が下方へ移動可能となる。その結果、本実施形態によれば、２つの端子１２，５０に確実な接続状態となるような荷重がかかったときのみシャッター７３が下降するように設定することができるので、端子１２，５０間が接続されているか否かについてのチェックを容易に行うことができる。
【００７７】
＜他の実施形態＞
本発明は上記記述及び図面によって説明した実施形態に限定されるものではなく、例えば次のような実施形態も本発明の技術的範囲に含まれる。
（１）上記実施形態では、治具通し孔２２，４６に通された治具６４を抜き取ることにより、シャッター６０が治具通し孔２２，４６を閉じる構成のものを示したが、治具を抜き取った後、手動によりシャッターを閉じる構成としてもよい。
（２）上記実施形態では、１つの作業により、２つの端子１２，５０とを接続するとともにシャッター６０を閉鎖可能とする構造を示したが、２つの端子を接続する作業と、シャッターを閉じる作業とを独立した作業とする構造であってもよい。
（３）上記実施形態では、第１端子１２を収容する第１ハウジング２０と、第２端子５０を収容する第２ハウジング４０を備える例を示したが、第１端子および第２端子を収容する１つのハウジングを備えるものであってもよい。
（４）上記実施形態では、第１ハウジング２０および前記第２ハウジング４０のうち、第１ハウジング２０にはハウジング係止孔２５が設けられ、他方には係止突部４３が設けられている例を示したが、第１ハウジングおよび第２ハウジングには係止構造が設けられていなくてもよい。
（５）上記実施形態では第１端子が単電池１１の電極端子１２の例を示したが、第１端子は単電池の電極端子以外の端子であってもよい。
【符号の説明】
【００７８】
１０，７０…端子接続部品
１１…単電池
１２…電極端子（第１端子）
１３…溝部
２０…第１ハウジング
２４…（第１ハウジングの）治具通し孔
２５…ハウジング係止孔（係止部）
３０，７１…回転部材（接続部材）
３１…軸部
３２…押圧部
３３，７２…回転ピン
４０…第２ハウジング
４１…本体部（第２ハウジング）
４３…係止突部（被係止部）
４６…（第２ハウジングの）治具通し孔
４７…蓋部（第２ハウジング）
５０…第２端子
５１…溝部
５５…電線
６０，７３…シャッター
６４…治具
【図１】
2014107257.tif 000003
【図２】
2014107257.tif 000004
【図３】
2014107257.tif 000005
【図４】
2014107257.tif 000006
【図５】
2014107257.tif 000007
【図６】
2014107257.tif 000008
【図７】
2014107257.tif 000009
【図８】
2014107257.tif 000010
【図９】
2014107257.tif 000011
【図１０】
2014107257.tif 000012
【図１１】
2014107257.tif 000013
【図１２】
2014107257.tif 000014
【図１３】
2014107257.tif 000015
【図１４】
2014107257.tif 000016
【図１５】
2014107257.tif 000017
【図１６】
2014107257.tif 000018
【図１７】
2014107257.tif 000019
【図１８】
2014107257.tif 000020
【図１９】
2014107257.tif 000021
【図２０】
2014107257.tif 000022
【図２１】
2014107257.tif 000023
【図２２】
2014107257.tif 000024
【図２３】
2014107257.tif 000025
【図２４】
2014107257.tif 000026
【図２５】
2014107257.tif 000027